(57)【要約】【課題】装置の小型化を促進する。【解決手段】光モジュールは、第１の光を導波する第１の光導波路と、第１の光の監視用の第２の光を導波する第２の光導波路との複数の対が幅方向に沿って並列に形成された基板と、入射面が少なくとも１つの第１の光導波路及び第２の光導波路の対に対向し、当該対から出射されて入射面において異なる入射位置及び異なる入射方向の少なくともいずれか一方から入射される第１の光及び第２の光をコリメートし、コリメートされた第１の光及び第２の光を入射位置又は入射方向に応じて異なる方向に出射するレンズとを有する。【選択図】図２
2018072557.tif 000002
【特許請求の範囲】
【請求項１】
第１の光を導波する第１の光導波路及び前記第１の光の監視用の第２の光を導波する第２の光導波路の複数の対が幅方向に沿って並列に形成された基板と、
入射面が少なくとも１つの前記第１の光導波路及び前記第２の光導波路の対に対向し、当該対から出射されて前記入射面において異なる入射位置及び異なる入射方向の少なくともいずれか一方から入射される前記第１の光及び前記第２の光をコリメートし、コリメートされた前記第１の光及び前記第２の光を前記入射位置又は前記入射方向に応じて異なる方向に出射するレンズと
を有することを特徴とする光モジュール。
【請求項２】
前記第１の光導波路及び前記第２の光導波路は、前記第１の光導波路及び前記第２の光導波路の少なくともいずれか一方の光軸が前記レンズの光軸に対して傾斜した状態で、前記基板上に形成されることを特徴とする請求項１に記載の光モジュール。
【請求項３】
複数の前記レンズの各々から出射される前記第１の光を偏波合成する偏波合成素子と、
複数の前記レンズの各々から前記第１の光とは異なる方向に出射される前記第２の光をそれぞれ受光する複数の受光素子と、
前記基板の幅方向に沿った前記偏波合成素子の一側面側の位置に前記複数の受光素子を固定する固定部材と
をさらに有することを特徴とする請求項１又は２に記載の光モジュール。
【請求項４】
複数の前記レンズの各々の入射面が少なくとも１つの前記第１の光導波路及び前記第２の光導波路の対に対向するように、複数の前記レンズを前記基板の幅方向に沿ってアレイ状に保持する保持部材をさらに有することを特徴とする請求項１〜３のいずれか一つに記載の光モジュール。
【請求項５】
前記基板の幅方向に沿った前記第２の光導波路の幅は、前記第２の光導波路の出射端に向かって、広くなる若しくは狭くなることを特徴とする請求項１〜４のいずれか一つに記載の光モジュール。
【請求項６】
前記レンズは、入射面が少なくとも１つの前記第１の光導波路及び前記第２の光導波路の対と、当該対に隣接する他の対に属する前記第２の光導波路である隣接光導波路とに対向し、当該対及び当該隣接光導波路から出射されて前記入射面において異なる入射位置及び異なる入射方向の少なくともいずれか一方から入射される前記第１の光及び２つの前記第２の光をコリメートし、コリメートされた前記第１の光及び２つの前記第２の光を前記入射位置又は前記入射方向に応じて異なる方向に出射することを特徴とする請求項１に記載の光モジュール。
【請求項７】
前記レンズの入射面が少なくとも１つの前記第１の光導波路及び前記第２の光導波路の対と、前記隣接光導波路とに対向し、かつ、前記レンズとは異なる他のレンズの入射面が前記他の対に属する前記第１の光導波路に対向するように、前記レンズ及び前記他のレンズを前記基板の幅方向に沿ってアレイ状に保持する保持部材をさらに有することを特徴とする請求項６に記載の光モジュール。
【発明の詳細な説明】
【技術分野】
【０００１】
本発明は、光モジュールに関する。
【背景技術】
【０００２】
近年、光通信システムでは、例えばインジウムリン（ＩｎＰ）等の半導体を用いる光変調器の開発が進められている。半導体を用いる光変調器は、ニオブ酸リチウム（ＬｉＮｂＯ３）等の強誘電体結晶を用いる光変調器と比較して、小型化が容易である一方で、光の閉じ込めが強いため、光導波路から空間中に出射される変調光の拡がり角が比較的に大きくなる。ここで、光導波路から空間中に出射される変調光には、信号光と、信号光を監視するためのモニタ光とが含まれる。変調光の拡がり角の増大は、信号光どうしの干渉やモニタ光どうしの干渉を発生させる恐れがあり、好ましくない。
【０００３】
これに対して、拡がり角の増大を抑えるために、光導波路の形成された基板の後段側に、コリメートレンズが配置されることがある。コリメートレンズは、一般に、信号光を導波する光導波路及びモニタ光を導波する光導波路のそれぞれに対応して配置され、各光導波路から出射される信号光又はモニタ光をコリメートする。コリメートされた信号光及びモニタ光は、対応するコリメートレンズから同一の出射方向に出射される。
【０００４】
しかしながら、信号光及びモニタ光が、対応するコリメートレンズから同一の出射方向に出射されると、コリメートレンズよりも後段側における光学部品の配置が制限されることがある。例えば、信号光を偏波合成する偏波合成素子と、モニタ光を受光する受光素子とをコリメートレンズよりも後段側に配置する場合、偏波合成素子と受光素子との位置関係が制限される。このため、信号光及びモニタ光は、対応するコリメートレンズから互いに異なる方向に出射されることが好ましい。具体的には、信号光又はモニタ光をコリメートする各コリメートレンズの光軸と、対応する各光導波路の光軸とをずらすことにより、信号光及びモニタ光を互いに異なる方向に出射させることなどが検討されている。
【先行技術文献】
【特許文献】
【０００５】
【特許文献１】特開２０１５−１６９７９５号公報
【発明の概要】
【発明が解決しようとする課題】
【０００６】
しかしながら、信号光又はモニタ光をコリメートする各コリメートレンズの光軸と、対応する各光導波路の光軸とをずらす構成では、１つの光導波路に対して１つのコリメートレンズが配置されることを前提とする。このため、上記の構成を例えば光変調器に適用する場合、光導波路の数が多いほど、コリメートレンズの数も多くなり、結果として光変調器を十分に小型化することが困難となる。このことは、光変調器以外の装置においても同様であり、光導波路の形成された基板の後段側にコリメートレンズを配置する装置では、１つの光導波路に対して１つのコリメートレンズが配置されるので、小型化に限界があるという問題がある。
【０００７】
開示の技術は、上記に鑑みてなされたものであって、装置の小型化を促進することができる光モジュールを提供することを目的とする。
【課題を解決するための手段】
【０００８】
本願の開示する光モジュールは、一つの態様において、第１の光を導波する第１の光導波路と、前記第１の光の監視用の第２の光を導波する第２の光導波路との複数の対が幅方向に沿って並列に形成された基板と、入射面が少なくとも１つの前記第１の光導波路及び前記第２の光導波路の対に対向し、当該対から出射されて前記入射面において異なる入射位置及び異なる入射方向の少なくともいずれか一方から入射される前記第１の光及び前記第２の光をコリメートし、コリメートされた前記第１の光及び前記第２の光を前記入射位置又は前記入射方向に応じて異なる方向に出射するレンズとを有する。
【発明の効果】
【０００９】
本願の開示する光モジュールの一つの態様によれば、装置の小型化を促進することができるという効果を奏する。
【図面の簡単な説明】
【００１０】
【図１】図１は、実施例１に係る光変調器の構成例を示す図である。
【図２】図２は、実施例１におけるレンズと光導波路との位置関係、及び位置関係に基づく光の出射態様を説明するための図である。
【図３】図３は、実施例２におけるレンズと光導波路との位置関係、及び位置関係に基づく光の出射態様を説明するための図である。
【図４】図４は、実施例３に係る光変調器の構成例を示す図である。
【図５】図５は、実施例３におけるレンズと光導波路との位置関係、及び位置関係に基づく光の出射態様を説明するための図である。
【発明を実施するための形態】
【００１１】
以下に、本願の開示する光モジュールの実施例を図面に基づいて詳細に説明する。なお、この実施例により開示技術が限定されるものではない。
【００１２】
（実施例１）
図１は、実施例１に係る光変調器１０の構成例を示す図である。図１に示す光変調器１０は、光ファイバ１１ａ、１１ｂに接続される。光変調器１０では、光ファイバ１１ａから光が入力され、光ファイバ１１ｂから光が出力される。そして、光変調器１０は、レンズ１２、光変調チップ１３、レンズ１７−１、１７−２、保持部材１８、波長板１９、ＰＢＣ（Polarization  Beam  Combiner）２０、レンズ２１、ＰＤ（Photodetector）２２−１、２２−２及び固定部材２３を有する。
【００１３】
なお、図１において、光変調チップ１３の長手方向に沿ってｘ軸が定義され、光変調チップ１３の幅方向に沿ってｙ軸が定義されるものとする。また、光変調チップ１３の長手方向に沿ってレンズ１７−１、１７−２とは反対側がｘ軸の正方向であるものとする。また、光変調チップ１３の幅方向に沿ってレンズ１７−１側がｙ軸の正方向であるものとする。
【００１４】
レンズ１２は、光ファイバ１１ａから出射される光を集光して光変調チップ１３へ入力する。
【００１５】
光変調チップ１３は、例えば半導体材料により形成される基板であり、レンズ１２から入力される光を変調して複数の変調光を生成する。具体的には、光変調チップ１３には、光分岐路１４、光変調部１５−１、１５−２及び光導波路１６−１〜１６−４が設けられる。
【００１６】
光分岐路１４は、レンズ１２から入力される光を２つの光に分岐し、一方の光を光変調部１５−１へ出力し、他方の光を光変調部１５−２へ出力する。
【００１７】
光変調部１５−１、１５−２は、光変調チップ１３の幅方向、すなわち、ｙ軸方向に沿って並列に設けられる。光変調部１５−１、１５−２は、例えば、マッハツェンダ型光導波路である。光変調部１５−１は、光分岐路１４から入力される光を２つの光に分岐し、分岐により得られる２つの光の各々に電気信号を重畳することによって、２つの変調光を生成する。光変調部１５−１によって生成される２つの変調光のうち一方の変調光が信号光であり、他方の変調光が信号光の監視用のモニタ光である。光変調部１５−１は、信号光を光導波路１６−１へ出力し、モニタ光を光導波路１６−２へ出力する。
【００１８】
光変調部１５−２は、光分岐路１４から入力される光を２つに光に分岐し、分岐により得られる２つの光の各々に電気信号を重畳することによって、２つの変調光を生成する。光変調部１５−２によって生成される２つの変調光のうち一方の変調光が信号光であり、他方の変調光が信号光の監視用のモニタ光である。光変調部１５−２は、信号光を光導波路１６−３へ出力し、モニタ光を光導波路１６−４へ出力する。
【００１９】
光導波路１６−１〜１６−４は、光変調チップ１３の幅方向、すなわち、ｙ軸方向に沿って並列に形成される。光導波路１６−１及び光導波路１６−２は、対を成し、光導波路１６−１は、光変調部１５−１から出力される信号光をｘ軸の負方向へ導波し、光導波路１６−２は、光変調部１５−１から出力されるモニタ光をｘ軸の負方向へ導波する。また、光導波路１６−３及び光導波路１６−４は、対を成し、光導波路１６−３は、光変調部１５−２から出力される信号光をｘ軸の負方向へ導波し、光導波路１６−４は、光変調部１５−２から出力されるモニタ光をｘ軸の負方向へ導波する。
【００２０】
レンズ１７−１、１７−２は、ガラスよりも屈折率が高い材料（例えば、シリコン）により形成されたコリメートレンズであり、光導波路１６−１〜１６−４の後段側に配置されて光導波路１６−１〜１６−４から出射される信号光及びモニタ光をコリメートする。そして、レンズ１７−１、１７−２は、コリメートされた信号光及びモニタ光を互いに異なる方向に出射する。すなわち、レンズ１７−１、１７−２は、コリメートされた信号光をＰＢＣ２０に向けて出射し、コリメートされたモニタ光をＰＤ２２−１、２２−２に向けて出射する。なお、レンズ１７−１、１７−２と光導波路１６−１〜１６−４との位置関係、及び位置関係に基づく光の出射態様については、後述する。
【００２１】
保持部材１８は、レンズ１７−１、１７−２の各々の入射面が光導波路１６−１及び光導波路１６−２の対、又は光導波路１６−３及び光導波路１６−４の対に対向するように、レンズ１７−１、１７−２をｙ軸方向に沿ってアレイ状に保持する。保持部材１８は、透光性を有する材料により形成される。
【００２２】
ここで、レンズ１７−１、１７−２と光導波路１６−１〜１６−４との位置関係、及び位置関係に基づく光の出射態様について説明する。図２は、実施例１におけるレンズ１７−１、１７−２と光導波路１６−１〜１６−４との位置関係、及び位置関係に基づく光の出射態様を説明するための図である。
【００２３】
図２に示すように、レンズ１７−１は、入射面１７−１ａが光導波路１６−１と光導波路１６−２との対に対向する。そして、レンズ１７−１は、光導波路１６−１と光導波路１６−２との対から出射されて入射面１７−１ａにおいて異なる入射位置から入射される信号光及びモニタ光をコリメートし、コリメートされた信号光及びモニタ光を入射位置に応じて異なる方向に出射する。本実施例においては、レンズ１７−１は、コリメートされた信号光をＰＢＣ２０に向けて出射し、コリメートされたモニタ光をＰＤ２２−１に向けて出射する。
【００２４】
また、レンズ１７−２は、入射面１７−２ａが光導波路１６−３と光導波路１６−４との対に対向する。そして、レンズ１７−２は、光導波路１６−３と光導波路１６−４との対から出射されて入射面１７−２ａにおいて異なる入射位置から入射される信号光及びモニタ光をコリメートし、コリメートされた信号光及びモニタ光を入射位置に応じて異なる方向に出射する。本実施例においては、レンズ１７−２は、コリメートされた信号光をＰＢＣ２０に向けて出射し、コリメートされたモニタ光をＰＤ２２−２に向けて出射する。
【００２５】
このように、光導波路１６−１及び光導波路１６−２の対、並びに光導波路１６−３及び光導波路１６−４の対の各々に対して１つのコリメートレンズ（つまり、レンズ１７−１又はレンズ１７−２）が配置されることにより、コリメートレンズの数が削減される。
【００２６】
図１の説明に戻る。波長板１９は、レンズ１７−２から出射される信号光の偏波に対して、レンズ１７−１から出射される信号光の偏波を回転する。ＰＢＣ２０は、偏波合成素子であり、波長板１９により偏波が回転された信号光と、レンズ１７−２から出射される信号光とを偏波合成し、得られた一つの信号光を出力する。レンズ２１は、ＰＢＣ２０から出力される信号光を集光して光ファイバ１１ｂに照射する。
【００２７】
ＰＤ２２−１、２２−２は、受光素子であり、レンズ１７−１、１７−２の各々から信号光とは異なる方向に出射されるモニタ光をそれぞれ受光する。固定部材２３は、ｙ軸方向に沿ったＰＢＣ２０の一側面側の位置にＰＤ２２−１、２２−２を固定する。
【００２８】
以上のように、本実施例によれば、１つのコリメートレンズの入射面を信号光用光導波路及びモニタ光用光導波路の対に対向させ、入射面において異なる入射位置から入射される信号光及びモニタ光をコリメートし、入射位置に応じて異なる方向に出射する。このため、１つの光導波路に対して１つのコリメートレンズが配置される構造と比較して、コリメートレンズの数が削減される。結果として、装置の小型化を促進することができる。特に、信号光用光導波路とモニタ光用光導波路との間隔を１つのコリメートレンズのサイズよりも小さくしても、信号光及びモニタ光を異なる方向に出射することができ、光変調チップの幅方向（つまり、ｙ軸方向）のサイズを縮減することができる。
【００２９】
（実施例２）
実施例２の特徴は、光導波路の光軸がコリメートレンズの光軸に対して傾斜するように、光導波路を光変調チップ上に形成することで、光導波路の後段側の部品において反射される光が光導波路へ入射する事態を回避する点である。
【００３０】
実施例２に係る光変調器の構成は、実施例１に係る光変調器１０の構成と同様であるため、その説明を省略する。実施例２においては、レンズ１７−１、１７−２と光導波路１６−１〜１６−４との位置関係、及び位置関係に基づく光の出射態様が実施例１とは異なる。
【００３１】
図３は、実施例２におけるレンズ１７−１、１７−２と光導波路１６−１〜１６−４との位置関係、及び位置関係に基づく光の出射態様を説明するための図である。図３において図２と同じ部分には同じ符号を付し、その説明を省略する。図３において、一点鎖線は、光導波路１６−１〜１６−４の各々の光軸及びレンズ１７−１、１７−２の各々の光軸を示し、実線の矢印は、信号光の光路を示し、破線の矢印は、モニタ光の光路を示す。
【００３２】
図３に示すように、光導波路１６−１〜１６−４は、光導波路１６−１〜１６−４の各々の光軸がレンズ１７−１、１７−２の各々の光軸に対して傾斜した状態で、光変調チップ１３上に形成される。すなわち、信号光を導波する光導波路１６−１及びモニタ光を導波する光導波路１６−２は、光導波路１６−１及び光導波路１６−２の両方の光軸がレンズ１７−１の光軸に対して傾斜した状態で、光変調チップ１３上に形成される。また、信号光を導波する光導波路１６−３及びモニタ光を導波する光導波路１６−４は、光導波路１６−３及び光導波路１６−４の両方の光軸がレンズ１７−２の光軸に対して傾斜した状態で、光変調チップ１３上に形成される。
【００３３】
レンズ１７−１は、光導波路１６−１及び光導波路１６−２の対から出射されて入射面１７−１ａにおいて異なる入射位置及び異なる入射方向から入射される信号光及びモニタ光をコリメートする。そして、レンズ１７−１は、コリメートされた信号光及びモニタ光を入射位置又は入射方向に応じて異なる方向に出射する。本実施例においては、レンズ１７−１は、コリメートされた信号光をＰＢＣ２０に向けて出射し、コリメートされたモニタ光をＰＤ２２−１に向けて出射する。
【００３４】
レンズ１７−２は、光導波路１６−３及び光導波路１６−４の対から出射されて入射面１７−２ａにおいて異なる入射位置及び異なる入射方向から入射される信号光及びモニタ光をコリメートする。そして、レンズ１７−２は、コリメートされた信号光及びモニタ光を入射位置又は入射方向に応じて異なる方向に出射する。本実施例においては、レンズ１７−２は、コリメートされた信号光をＰＢＣ２０に向けて出射し、コリメートされたモニタ光をＰＤ２２−２に向けて出射する。
【００３５】
以上のように、本実施例によれば、信号光用光導波路及びモニタ光用光導波路の両方の光軸が、対応する一つのコリメートレンズの光軸に対して傾斜するように、信号光用光導波路及びモニタ光用光導波路を光変調チップ上に形成する。このため、信号光用光導波路及びモニタ光用光導波路の後段側の部品（例えば、レンズ１７−１、１７−２及び保持部材１８など）において反射される光が信号光用光導波路及びモニタ光用光導波路へ入射される事態が回避される。結果として、光変調器１０に入力された光の一部が反射されて発生し、光ファイバ１１ａへと戻る反射光を抑制することができる。
【００３６】
なお、本実施例においては、光導波路１６−１及び光導波路１６−２の両方の光軸がレンズ１７−１の光軸に対して傾斜するものとした。しかし、光導波路１６−１及び光導波路１６−２の少なくともいずれか一方の光軸がレンズ１７−１の光軸に対して傾斜しても良い。
【００３７】
また、本実施例においては、光導波路１６−３及び光導波路１６−４の両方の光軸がレンズ１７−２の光軸に対して傾斜するものとした。しかし、光導波路１６−３及び光導波路１６−４の少なくともいずれか一方の光軸がレンズ１７−２の光軸に対して傾斜しても良い。
【００３８】
（実施例３）
実施例３の特徴は、１つのコリメートレンズの入射面を信号光用光導波路とモニタ光用光導波路との対と、他のモニタ光用導波路とに対向させ、信号光及び２つのモニタ光を入射面における入射位置に応じて異なる方向に出射する点である。
【００３９】
図４は、実施例３に係る光変調器１０の構成例を示す図である。図４において図１と同じ部分には同じ符号を付し、その説明を省略する。
【００４０】
図４に示す光変調器１０は、図１に示した光変調チップ１３、レンズ１７−１、１７−２及び保持部材１８に代えて、光変調チップ３３、レンズ３７−１、３７−２及び保持部材３８を有する。
【００４１】
光変調チップ３３は、例えば半導体材料により形成される基板であり、レンズ１２から入力される光を変調して複数の変調光を生成する。具体的には、光変調チップ３３には、光分岐路１４、光変調部１５−１、１５−２及び光導波路３６−１〜３６−４が設けられる。
【００４２】
光導波路３６−１〜３６−４は、基本的には図１に示した光導波路１６−１〜１６−４に相当する。光導波路３６−１及び光導波路３６−２は、対を成し、光導波路３６−１は、光変調部１５−１から出力される信号光をｘ軸の負方向へ導波し、光導波路３６−２は、光変調部１５−１から出力されるモニタ光をｘ軸の負方向へ導波する。また、光導波路３６−３及び光導波路３６−４は、対を成し、光導波路３６−３は、光変調部１５−２から出力される信号光をｘ軸の負方向へ導波し、光導波路３６−４は、光変調部１５−２から出力されるモニタ光をｘ軸の負方向へ導波する。さらに、本実施例では、モニタ光を導波する光導波路３６−２、３６−４が、信号光を導波する光導波路３６−１、３６−３によりｙ軸方向に沿って挟まれている。
【００４３】
レンズ３７−１、３７−２は、ガラスよりも屈折率が高い材料（例えば、シリコン）により形成されたコリメートレンズであり、光導波路３６−１〜３６−４の後段側に配置されて光導波路３６−１〜３６−４から出射される信号光及びモニタ光をコリメートする。そして、レンズ３７−２は、コリメートされた信号光及び２つのモニタ光を互いに異なる方向に出射する。すなわち、レンズ３７−２は、コリメートされた信号光をＰＢＣ２０に向けて出射し、コリメートされた２つのモニタ光をＰＤ２２−１、２２−２に向けて出射する。なお、レンズ３７−１、３７−２と光導波路３６−１〜３６−４との位置関係、及び位置関係に基づく光の出射態様については、後述する。
【００４４】
保持部材３８は、レンズ３７−２の入射面が光導波路３６−３及び光導波路３６−４の対と、光導波路３６−２とに対向し、レンズ３７−１の入射面が光導波路３６−１に対向するように、レンズ３７−１、３７−２をｙ軸方向に沿ってアレイ状に保持する。
【００４５】
ここで、レンズ３７−１、３７−２と光導波路３６−１〜３６−４との位置関係、及び位置関係に基づく光の出射態様について説明する。図５は、実施例３におけるレンズ３７−１、３７−２と光導波路３６−１〜３６−４との位置関係、及び位置関係に基づく光の出射態様を説明するための図である。
【００４６】
図５に示すように、レンズ３７−１は、入射面３７−１ａが光導波路３６−１に対向する。そして、レンズ３７−１は、光導波路３６−１から出射されて入射面３７−１ａから入射される信号光をコリメートし、コリメートされた信号光を所定の方向に出射する。本実施例においては、レンズ３７−１は、コリメートされた信号光をＰＢＣ２０に向けて出射する。
【００４７】
また、レンズ３７−２は、入射面３７−２ａが光導波路３６−３及び光導波路３６−４の対と、光導波路３６−２とに対向する。そして、レンズ３７−２は、光導波路３６−３及び光導波路３６−４の対及び光導波路３６−２から出射されて入射面３７−２ａにおいて異なる入射位置から入射される信号光及び２つのモニタ光をコリメートし、コリメートされた信号光及び２つのモニタ光を入射位置に応じて異なる方向に出射する。本実施例においては、レンズ３７−２は、コリメートされた信号光をＰＢＣ２０に向けて出射し、コリメートされた２つのモニタ光をＰＤ２２−１、２２−２に向けて出射する。
【００４８】
このように、光導波路３６−３及び光導波路３６−４の対、並びに光導波路３６−２に対して１つのコリメートレンズ（つまり、レンズ３７−２）が配置されることにより、コリメートレンズの数が削減される。
【００４９】
以上のように、本実施例によれば、１つのコリメートレンズの入射面を信号光用光導波路及びモニタ光用光導波路の対と、他のモニタ光用光導波路に対向させ、信号光及び２つのモニタ光を入射面における入射位置に応じて異なる方向に出射する。このため、１つの光導波路に対して１つのコリメートレンズが配置される構造と比較して、コリメートレンズの数が削減される。結果として、装置の小型化を促進することができる。さらに、１つのコリメートレンズから信号光及び２つのモニタ光を異なる方向に出射するので、コリメートレンズの曲率半径の個体差によらず、信号光及び２つのモニタ光の出射方向を自由に設定可能である。
【００５０】
なお、上記実施例１、２においては、コリメートレンズが信号光用光導波路及びモニタ光用光導波路の対から出射されて入射面において異なる入射位置（及び異なる入射方向）から入射される信号光及びモニタ光をコリメートするものとしたが、これに限定されない。コリメートレンズが、信号光用光導波路及びモニタ光用光導波路の対から出射されて入射面において異なる入射位置及び異なる入射方向の少なくともいずれか一方から入射される信号光及びモニタ光をコリメートする構成としても良い。
【００５１】
また、上記各実施例においては、光変調チップの幅方向に沿ったモニタ光用光導波路（例えば、光導波路１６−１、１６−４）の幅が一定であるものとしたが、これに限定されない。光変調チップの幅方向に沿ったモニタ光用光導波路が、モニタ光用光導波路の出射端に向かって、広くなる若しくは狭くなる構成としても良い。これにより、モニタ光のモードフィールドを適切に調整することが可能となる。
【符号の説明】
【００５２】
１０  光変調器
１１ａ、１１ｂ  光ファイバ
１２、１７−１、１７−２、２１、３７−１、３７−２  レンズ
１３、３３  光変調チップ
１４  光分岐路
１５−１、１５−２  光変調部
１６−１〜１６−４、３６−１〜３６−４  光導波路
１７−１ａ、１７−２ａ、３７−１ａ、３７−２ａ  入射面
１８、３８  保持部材
１９  波長板
２０  ＰＢＣ
２２−１、２２−２  ＰＤ
２３  固定部材
【図１】
2018072557.tif 000003
【図２】
2018072557.tif 000004
【図３】
2018072557.tif 000005
【図４】
2018072557.tif 000006
【図５】
2018072557.tif 000007